(57)【要約】【課題】液晶表示装置用のカラーフィルタ製造工程でのカラーフィルタ用の基板上に形成したコードを読取る、カメラ及び照明光の光源を備えたカラーフィルタのコード読取方法において、コード読取用の照明として用いるＬＥＤ照明がカラーフィルタの着色画素、若しくは着色のレジストの層が覆っていても基板のコードを読取ることができるＬＥＤ照明を提供すること。【解決手段】基板上のコード読取時に用いる照明光の光源は、波長が７００ｎｍ以上の赤外ＬＥＤを用いたコード読取方法であって、基板を透過する照明光で、感光波長領域が３３５〜３９５ｎｍであるカラーフィルタ用レジストに未感光の光源であり、コード表面にカラーフィルタ用レジストが覆っていてもカメラの撮像、又は目視でもコード読取でき、カラーフィルタ製造工程でのコード読取が同一の赤外ＬＥＤを用いた赤外ＬＥＤを用いたカラーフィルタのコード読取方法。【選択図】図１
2009058608.tif 000002
【特許請求の範囲】
【請求項１】
液晶表示装置用のカラーフィルタ製造工程でのカラーフィルタ用基板上に形成した光学的なコードを読取る、カメラ及び照明光の光源を備えたカラーフィルタのコード読取方法において、
カラーフィルタ用基板上の光学的なコード読取時に用いる照明光の光源は、赤外ＬＥＤを用いたことを特徴とする赤外ＬＥＤを用いたカラーフィルタのコード読取方法。
【請求項２】
前記赤外光ＬＥＤは、波長が７００ｎｍ以上であって、カラーフィルタ用基板を透過する照明光で、カラーフィルタ用基板上に塗布した感光波長領域が３３５ｎｍ〜３９５ｎｍであるカラーフィルタ用レジストに感光しない照明光の光源であり、カラーフィルタ製造工程において同一の照明光を用いた光学的なコード読取に使用できることを特徴とする請求項１記載の赤外ＬＥＤを用いたカラーフィルタのコード読取方法。
【請求項３】
前記赤外光ＬＥＤは、カラーフィルタ用基板上に形成した光学的なコード表面にカラーフィルタ用レジストが覆っていても光学的なコード読取できることを特徴とする請求項１、又は２記載の赤外ＬＥＤを用いたカラーフィルタのコード読取方法。
【請求項４】
前記赤外光ＬＥＤは、カラーフィルタ用基板上に形成した光学的なコード表面にカラーフィルタ用レジストが覆っていても目視でも光学的なコード読取できることを特徴とする請求項１乃至３のいずれか１項記載の赤外ＬＥＤを用いたカラーフィルタのコード読取方法。
【発明の詳細な説明】
【技術分野】
【０００１】
本発明は、液晶表示用のカラーフィルタ製造工程内でカラーフィルタ用基板上の光学的なコードを読取る方法、特にシステムの照明に赤外ＬＥＤを用いたカラーフィルタのコード読取方法に関する。
【背景技術】
【０００２】
近年、製造業や物流業等において、製品等の識別に光学的なコード、例えばバーコード、２次元コード等のコード読取システムを導入した事例が多い。製品等のグループ分けでは特に効果があり、製品混入の防止に効果がある。製造業や物流業界では、自動化の一端を担うシステムであり、省力化のための重要なシステムである。
【０００３】
コード読取には、コード読取システムを構築する必要があり、主として、コード読取装置、ＣＣＤカメラ、照明光源からなる装置である。コード読取システムは、ローカルエリア、例えば生産ライン内にローカルネットを配設し、そのネット回線上に多数のカメラを付設し、カメラからの読取情報を集約管理装置、例えばコード読取装置へ読み取り、製造ライン内に付設した自動化装置、又は生産装置にコード関連の情報を命令する。自動化装置、又は生産装置は、コード関連の命令情報から、搬送品を個別に認識し、各々生産関連動作を実行する。
【０００４】
読取用の照明用の光源は、ＬＥＤ照明が用いられることが多く、画像処理用のＬＥＤ照明として製品化されている。ＬＥＤ照明は、赤色、青色、白色等、多種、種々の波長が存在する。システムは、光学的なコード毎に各々の特徴に最適なＬＥＤ照明が採用されている。近年、企業全般は、自動化や省力化への投資が活発となり、ＬＥＤ照明を用いたコード読取システムが導入されてきた。
【０００５】
液晶表示用のカラーフィルタ製造工程にコード読取システムを導入した場合、基板に印字したコード上にカラーフィルタの着色画素、例えばＲ（赤）色、Ｇ（緑）色、Ｂ（青）色、若しくは着色レジストのＲレジスト、Ｇレジスト、Ｂレジストの層が覆っている場合がある。
【０００６】
カラーフィルタ製造工程にコード読取システムを導入した場合、カラーフィルタ製造工程では、着色レジストはＬＥＤ照明に感光しないことが必要となる。着色レジストのＲレジスト、Ｇレジスト、Ｂレジストの層が覆っている場合、従来ではＬＥＤ照明の機種を変更する場合があり、問題となる。
【０００７】
カラーフィルタ製造工程にコード読取システムを導入した場合、カラーフィルタ製造工程では、着色レジスト、又は着色画素は、ＬＥＤ照明で視認できることが必要となる。着色レジストのＲレジスト、Ｇレジスト、Ｂレジストの層が覆っている場合、従来ではＬＥＤ照明の機種を変更する場合があり、問題となる。
【０００８】
カラーフィルタの製造方法を説明する。カラーフィルタ用基板は、ガラス基板で、厚さ０．７ｍｍ程度の透明基板である。カラーフィルタ用基板は、格子形状の遮光膜パターン（以下遮光層と記す）を形成後、遮光層の開口部に一部にＲ画素，Ｇ画素，Ｂ画素を形成した後、基板上の所定位置に電極層を形成する。
【０００９】
図２は、従来の赤外ＬＥＤを用いたカラーフィルタのコード読取方法の一事例の工程の斜視図で、（ａ）は、Ｒレジストのコード読取あり、（ｂ）は、Ｇレジストのコード読取
で、（ｃ）は、Ｂレジストのコード読取の説明図である。
【００１０】
図２は、従来の光学的なコード読取方法である。図２（ａ）は、基板２上に光学的なコードが形成されており、基板２及び光学的なコード３の全面にＲレジスト４が形成され、光学的なコード３表面はＲレジスト４に覆われている。光学的なコード３の直上に撮像用のカメラ１１と、照明用の光源が配置されている。図２（ａ）の照明用の光源は、Ｒレジスト用光源１４が装備され、Ｒレジストに覆われたコードを撮像するための光源として用いられている。
【００１１】
図２（ｂ）は、基板２上にＧレジスト５が形成され、光学的なコード３の表面にもＧレジストが覆われている。図２（ｂ）の照明用の光源は、Ｇレジスト用光源１５が装備されており、Ｇレジスト５に覆われたコードを撮像するための光源として用いられている。
【００１２】
図２（ｃ）は、基板２上にＢレジスト６が形成され、光学的なコード３の表面にＢレジスト６が覆われている。図２（ｃ）の照明用の光源は、Ｂレジスト用光源１６が装備されており、Ｂレジスト６に覆われたコードを撮像するための光源として用いられている。
【００１３】
図２の照明用の光源は、各々異なる光源を装備しており、レジストの種類に応じて読み取りに最適な波長を持つＬＥＤ照明を選択、装備している。例えば、Ｒレジスト用光源１４では、波長が７００〜６１０ｎｍの近傍の発光領域を持つＬＥＤであり、Ｇレジスト用光源１５では、波長が５７０〜５００ｎｍの近傍の発光領域を持つＬＥＤであり、Ｂレジスト用光源１６では、波長が５００〜４５０ｎｍの近傍の発光領域を持つＬＥＤである。なお、ＬＥＤは、発光ダイオードであり、可視光領域の光を発するものである。
【００１４】
カラーフィルタ製造ラインでは、Ｒ画素、Ｇ画素、Ｂ画素を形成する工程があり、同一基板上にＲ画素を形成後、Ｇ画素を形成後、Ｂ画素を形成する製造プロセスを繰り返し実行する。製造プロセスは、フォトリソグラフィ法であり、レジスト塗布、画素パターンの露光処理、該レジストの現像処理を経て画素を形成する。通常生産ラインでは、必要時にコード読取が行う場合があり、例えば工程内検査を実行する場合、Ｒレジスト層が覆った基板や、Ｇレジスト層が覆った基板、又はＢレジスト層が覆った基板がある。別の事例、例えば、１つ設備を切り替えて用いてＲ画素、Ｇ画素、Ｂ画素の製造プロセスを繰り返す場合がある。前記の場合は、ＬＥＤ照明の機種を変更する必要があり、機種の変更、変更毎に光量の変更等の調整作業があり問題となる。自動化、省力化に支障となる。
【００１５】
コード上に着色レジスト、又は着色レジストが覆っている場合、上層部の色に応じて読取に最適な波長を持つＬＥＤ照明を用いることが要求され、カラーフィルタの品種の変更毎に光源の変更や光量の調整等の作業が必要となる。
【００１６】
以下に公知文献を記す。
【特許文献１】特公昭５８−１４７０６号公報
【発明の開示】
【発明が解決しようとする課題】
【００１７】
カラーフィルタ製造設備において、コード読取用の照明として用いるＬＥＤ照明がカラーフィルタの着色画素、若しくは着色レジストの層が覆っている場合でも基板のコード印字を読取ることができるＬＥＤ照明を提供することである。
【課題を解決するための手段】
【００１８】
本発明の請求項１に係る発明は、液晶表示装置用のカラーフィルタ製造工程でのカラー
フィルタ用基板上に形成した光学的なコードを読取る、カメラ及び照明光の光源を備えたカラーフィルタのコード読取方法において、
カラーフィルタ用基板上の光学的なコード読取時に用いる照明光の光源は、赤外ＬＥＤを用いたことを特徴とする赤外ＬＥＤを用いたカラーフィルタのコード読取方法である。
【００１９】
本発明の請求項２に係る発明は、前記赤外光ＬＥＤは、波長が７００ｎｍ以上であって、カラーフィルタ用基板を透過する照明光で、カラーフィルタ用基板上に塗布した感光波長領域が３３５ｎｍ〜３９５ｎｍであるカラーフィルタ用レジストに感光しない照明光の光源であり、カラーフィルタ製造工程において同一の照明光を用いた光学的なコード読取に使用できることを特徴とする請求項１記載の赤外ＬＥＤを用いたカラーフィルタのコード読取方法である。
【００２０】
本発明の請求項３に係る発明は、前記赤外光ＬＥＤは、カラーフィルタ用基板上に形成した光学的なコード表面にカラーフィルタ用レジストが覆っていても光学的なコード読取できることを特徴とする請求項１、又は２記載の赤外ＬＥＤを用いたカラーフィルタのコード読取方法である。
【００２１】
本発明の請求項４に係る発明は、前記赤外光ＬＥＤは、カラーフィルタ用基板上に形成した光学的なコード表面にカラーフィルタ用レジストが覆っていても目視でも光学的なコード読取できることを特徴とする請求項１乃至３のいずれか１項記載の赤外ＬＥＤを用いたカラーフィルタのコード読取方法である。
【発明の効果】
【００２２】
本発明の赤外ＬＥＤを用いたカラーフィルタのコード読取方法を用いれば、着色レジスト層の感光波長領域と異なる波長領域を用いたことにより、コードを覆った着色レジストに感光せず、かつ目視でも読取できる。
【００２３】
本発明の赤外ＬＥＤを用いたカラーフィルタのコード読取方法を用いれば、着色レジスト層の感光波長領域と異なる波長領域を用いたことにより、コードを覆った着色レジストに影響されずに、目視でも読取できる。
【００２４】
本発明の赤外ＬＥＤを用いたカラーフィルタのコード読取方法を用いれば、着色レジスト層の感光波長領域と異なる波長領域を用いたことにより、コードを覆った着色レジストに感光せず、かつ目視でも読取できるため、ＬＥＤの変更が不要となり、カラーフィルタ製造設備の稼働率を改善する効果がある。
【発明を実施するための最良の形態】
【００２５】
本発明の赤外ＬＥＤを用いたカラーフィルタのコード読取方法を一実施形態に基づいて以下説明する。
【００２６】
図１は、本発明の赤外ＬＥＤを用いたカラーフィルタのコード読取方法の一実施例の工程の斜視図で、（ａ）は、Ｒレジストのコード読取あり、（ｂ）は、Ｇレジスト、（ｃ）は、Ｂレジストである。
【００２７】
本発明のカラーフィルタのコード読取方法は、カメラ１１及び照明光の光源を備えたコード読取方法であって、照明光の光源が赤外ＬＥＤ９を用いたことを特徴とする方法である。液晶表示装置用のカラーフィルタ製造工程でのカラーフィルタ用基板上に形成した光学的なコード３を読取るため、赤外ＬＥＤ９を用いたカラーフィルタのコード読取方法であり、赤外ＬＥＤ９は各々のレジスト、例えばＲレジスト４、Ｇレジスト５、Ｂレジスト６に適したものであり、同一の赤外ＬＥＤ９で兼用できる。
【００２８】
図１（ａ）は、基板２上に光学的なコードが形成されており、基板２及び光学的なコード３の全面にＲレジスト４が形成され、光学的なコード３表面はＲレジスト４に覆われている。光学的なコード３の直上に撮像用のカメラ１１と、赤外ＬＥＤ９が配置されている。図１（ａ）の照明用の光源は、赤外ＬＥＤ９が装備され、Ｒレジスト４に覆われたコードを撮像するための光源として用いられている。
【００２９】
図１（ｂ）は、基板２上にＧレジスト５が形成され、光学的なコード３の表面にもＧレジストが覆われている。図１（ｂ）の照明用の光源は、赤外ＬＥＤ９が装備されており、Ｇレジスト５に覆われたコードを撮像するための光源として用いられている。
【００３０】
図１（ｃ）は、基板２上にＢレジスト６が形成され、光学的なコード３の表面にＢレジスト６が覆われている。図１（ｃ）の照明用の光源は、赤外ＬＥＤ９が装備されており、Ｂレジストに覆われたコードを撮像するための光源として用いられている。図１では、（ａ）〜（ｃ）の赤外ＬＥＤ９は同一の品種である。
【００３１】
本発明の照明用の光源となる赤外光ＬＥＤ９は、波長が７００ｎｍ以上であって、カラーフィルタ用基板を透過する照明光である。赤外光ＬＥＤ９は、カラーフィルタ用基板上に塗布した感光波長領域が３３５ｎｍ〜３９５ｎｍであるカラーフィルタ用レジスト、Ｒレジスト４、Ｇレジスト５、Ｂレジスト６に感光しない照明光の光源である。さらに、赤外光ＬＥＤ９は、カラーフィルタ製造工程において同一の照明光、すなわち赤外ＬＥＤを用いた光学的なコード読取に使用できることを特徴とする赤外ＬＥＤを用いたカラーフィルタのコード読取方法である。
【００３２】
前記赤外光ＬＥＤ９は、カラーフィルタ用基板２上に形成した光学的なコード３表面にカラーフィルタ用レジスト、Ｒレジスト４、Ｇレジスト５、Ｂレジスト６が覆っていても光学的なコード３を読取できることを特徴とする赤外ＬＥＤを用いたカラーフィルタのコード読取方法である。
【００３３】
前記赤外光ＬＥＤ９は、カラーフィルタ用基板上に形成した光学的なコード３表面に可視領域は４００ｎｍ〜７００ｎｍであるカラーフィルタ用レジスト、Ｒレジスト４、Ｇレジスト５、Ｂレジスト６が覆っていても、目視による光学的なコード３が読取できることを特徴とする赤外ＬＥＤを用いたカラーフィルタのコード読取方法である。
【００３４】
本発明のカラーフィルタのコード読取方法に用いる赤外ＬＥＤ９は、ＳＩＤ３００／１００３シリーズ（アルワン電子（株）製造）の内から選択する。
【図面の簡単な説明】
【００３５】
【図１】本発明の赤外ＬＥＤを用いたカラーフィルタのコード読取方法の一実施例の工程の斜視図で、（ａ）は、Ｒレジストのコード読取あり、（ｂ）は、Ｇレジスト、（ｃ）は、Ｂレジストである。
【図２】従来の赤外ＬＥＤを用いたカラーフィルタのコード読取方法の一事例の工程の斜視図で、（ａ）は、Ｒレジストのコード読取あり、（ｂ）は、Ｇレジスト、（ｃ）は、Ｂレジストである。
【符号の説明】
【００３６】
２…（カラーフィルタ用）基板
３…光学的なコード
４…Ｒ（赤）レジスト
５…Ｇ（緑）レジスト
６…Ｂ（青）レジスト
９…赤外ＬＥＤ
１１…（撮像用）カメラ
１４…Ｒレジスト用光源
１５…Ｇレジスト用光源
１６…Ｂレジスト用光源
【図１】
2009058608.tif 000003
【図２】
2009058608.tif 000004